(57)【要約】【課題】商品カタログ等のデータを格納したメモリ体を、保護カバーを必要とせずに携帯できるように名刺サイズのカード本体に組み込んだ名刺型メモリ装置を提供する。【解決手段】名刺サイズのプラスチックカードで形成されるカード本体１と、ＵＳＢターミナルに挿入接続可能な露出電極２１を備えた薄板状のメモリ体２とで構成され、カード本体１にメモリ体２の全体が収納され得る凹部１１を形成し、露出電極を凹部１１の底面に対面させて隠蔽状態としてメモリ体２の全体が凹部に収納されると共に、露出電極２１が前記隠蔽位置から離脱してカード外方に突出可能にメモリ体２をカード本体１に組み込んでなる。【選択図】図２
0003200600.tif 000002
【実用新案登録請求の範囲】
【請求項１】
名刺サイズのプラスチックカードで形成されるカード本体と、ＵＳＢターミナルに挿入接続可能な露出電極を備えると共に、露出電極面以外を樹脂被覆した薄板状のメモリ体とで構成され、カード本体にメモリ体全体が収納され得る凹部を形成し、露出電極を凹部底面に対面させて隠蔽状態としてメモリ体の全体が凹部に収納されると共に、露出電極が前記隠蔽位置から離脱してカード外方に突出可能にメモリ体をカード本体に組み込んでなることを特徴とする名刺型メモリ装置。
【請求項２】
メモリ体における露出電極面以外を、カード本体と同質の樹脂被覆を施してなる請求項１記載の名刺型メモリ装置。
【請求項３】
凹部におけるカード本体外周側を切欠して切欠部とし、メモリ体の露出電極の反対側端部をカード本体の厚さと一致させて前記切欠部を充たす形状に形成すると共に、切欠部内端面とメモリ体の側端面とを軸連結してメモリ体を回動自在に組み込んでなる請求項１又は２記載の名刺型メモリ装置。
【請求項４】
軸連結個所より中央側における凹部内側面とメモリ体側端面との間に、小突起と小凹部で形成したクリック部を設けてなる請求項３記載の名刺型メモリ装置。
【請求項５】
凹部側面を蟻形状に形成すると共に、露出電極をカード本体外周側に位置するように、メモリ体を前記凹部にスライド出没自在に前記凹部に挿入装着してなる請求項１又は２記載の名刺型メモリ装置。
【考案の詳細な説明】
【技術分野】
【０００１】
本考案は、名刺サイズで、商品カタログ（静止画）やプロモーション映像（動画）等を記録した携帯型のメモリ装置に関するものである。
【背景技術】
【０００２】
コンピュータで記録内容を閲覧できるメモリ装置は種々知られているが、特に本考案はＵＳＢターミナルに接続して記録内容を閲覧できるＵＳＢメモリと称されるメモリ装置である。  前記のＵＳＢメモリの外観構成は、コンピュータの外部入力接続部として設けられたＵＳＢターミナルに装着できるＵＳＢコネクタと、半導体メモリチップ他を本体に実装している。
【０００３】
またカタログ等を持ち歩かずに、営業マンが商品説明を行うことができる電子名刺として特許文献１（特開２００２−２４８８８２号）に示されているとおり、通常のドーナツ円形のＣＤ−ＲやＣＤ−ＲＯＭのうち、記録媒体部分をドライブ孔の中心側とし、非記録部分を切除して名刺サイズとし、記録部分に所定のデータ（商品説明等）を記録し、非記録面である表面に名刺関連表示したものが知られている。
【先行技術文献】
【特許文献】
【０００４】
【特許文献１】特開２００２−２４８８８２号公報。
【考案の概要】
【考案が解決しようとする課題】
【０００５】
商品カタログや商品説明などの電子データが記録された記録媒体を有する電子名刺として、前記した特許文献１のようにＣＤ−Ｒ等では記録容量が十分であるとは言えず、また記録面に傷がつかないようにする保護手段が必要であり、取扱いに不便である。
【０００６】
また市販されている超小型ＵＣＢメモリはＵＳＢコネクタの厚さの４．５ｍｍとなるので、カードタイプの名刺として携帯し、使用するには適さない。また電極が露出してＵＳＢターミナルへの挿入接続する超小型ＵＳＢメモリも知られているが、電極が露出した状態での携帯使用に際しては、電極部分の損傷の虞があるので、携帯に際しては挿入電極部分若しくは全体を保護するカバーが必要となる。
【０００７】
そこで本考案は、商品カタログ等データを格納したメモリ体を、保護カバーを必要とせずに携帯できるように名刺サイズのカード本体に組み込んだ名刺型メモリ装置を提案したものである。
【課題を解決するための手段】
【０００８】
本考案の請求項１記載に係る名刺型メモリ装置は、名刺サイズのプラスチックカードで形成されるカード本体と、ＵＳＢターミナルに挿入接続可能な露出電極を備えた薄板状のメモリ体とで構成され、カード本体にメモリ体全体が収納され得る凹部を形成し、露出電極を凹部底面に対面させて隠蔽状態としてメモリ体の全体が凹部に収納されると共に、露出電極が前記隠蔽位置から離脱してカード外方に突出可能にメモリ体をカード本体に組み込んでなることを特徴とするものである。
【０００９】
而して半導体メモリを内蔵したメモリ体に所望のデータを格納しておくもので、メモリ体はカード本体の凹部に収納状態としているので、名刺サイズのカード（一般的なクレジットカード程度の大きさ）として携帯可能であり、カード本体の表裏面或いは表面に所望の印刷表示（会社名や商品名等の所望事項）を施して顧客に対して名刺として使用することができ、顧客は、メモリ体を収納箇所（凹部）からその一部を突出させて露出電極部分をコンピュータのＵＳＢターミナルに挿入接続することで、メモリ体のデータを閲覧する事ができる。
【００１０】
従って営業に携わる者が電子カタログ（商品説明に関する静止画及び動画）として携帯し、顧客に対して名刺代わり使用することができるもので、特に携帯時は露出電極が隠蔽されているので、露出電極が傷つくことが無い。
【００１１】
本考案の請求項２記載に係る名刺型メモリ装置は、特にメモリ体における露出電極面以外を、カード本体と同質の樹脂被覆を施してなるもので、メモリ体を収納した状態で一つの印刷表示面として使用しても、カード全体に何らの違和感も生じない。
【００１２】
本考案の請求項３記載に係る名刺型メモリ装置は、特に凹部におけるカード本体外周側を切欠して切欠部とし、メモリ体の露出電極の反対側端部をカード本体の厚さと一致させて前記切欠部を充たす形状に形成すると共に、切欠部内端面とメモリ体の側端面とを軸連結してメモリ体を回動自在に組み込んでなるもので、メモリ体におけるカード外周に対応する部分を押圧操作することでメモリ体が回動し、メモリ体の露出電極部分をＵＳＢターミナルに挿入接続可能となる。
【００１３】
また本考案の請求項５記載に係る名刺型メモリ装置は、凹部側面を蟻形状に形成すると共に、露出電極をカード本体外周側に位置するように、メモリ体を前記凹部にスライド出没自在に前記凹部に挿入装着してなるもので、メモリ体のスライド突出操作でメモリ体が突出し、メモリ体の露出電極部分をＵＳＢターミナルに挿入接続可能となる。
【考案の効果】
【００１４】
本考案の構成は上記のとおりで、ＵＳＢターミナルに挿入接続可能な露出電極を備えた扁平なメモリ体を、名刺サイズのカード本体に露出電極を隠蔽した状態での収納と、ＵＳＢターミナルに挿入接続可能な突出状態とすることができるよう組み込んだもので、商品カタログ等のデータを格納した前記メモリ部材を、保護カバーを必要とせずに携帯できるようにしたものである。
【図面の簡単な説明】
【００１５】
【図１】本考案の第一実施形態の全体斜視図（メモリ体収納状態）。
【図２】同図（メモリ体突出状態）。
【図３】同図（メモリ体突出状態時の裏面）。
【図４】同第二実施形態の全体斜視図（メモリ体収納状態）。
【図５】同図（メモリ体突出状態）。
【図６】同図（メモリ体突出状態時の裏面）。
【考案を実施するための形態】
【００１６】
次に本考案の実施形態について説明する。図１乃至３は第一実施形態を示したものである。この実施形態に示した名刺型メモリ装置は、カード本体１とメモリ体２で構成される。
【００１７】
カード本体１は、名刺サイズ（クレジットカード程度）の大きさで、その厚みも２ｍｍ程度で、特にメモリ体２の収納箇所は、３．３ｍｍ程度である。このカード本体１の適宜箇所（短辺の一側側）に、メモリ体２の形状に対応した凹部１１を形成したもので、前記凹部１１は、深さがメモリ体２の厚さ（２．３ｍｍ程度）と対応し、凹部１１の底面は、カード本体１の保形性を損なわない程度の厚さ（１．０ｍｍ程度）としたものであり、特に凹部１１におけるカード本体外周側を切欠して切欠部１２としてなる。
【００１８】
また特に凹部内側面の適宜位置（中央に近い側）にクリック機能を果たすための小凹部１３を形成し、更にカード本体１の表裏面または表裏面のいずれかに、所望の印刷表示（会社名や商品名等の所望事項）１４を施してなる。
【００１９】
メモリ体２は、全体形状を凹部１１と対応し、メモリ機能として必要な半導体メモリ他を組み込んで樹脂被覆して形成したもので、一面の一端側をＵＳＢターミナルに挿入可能とした幅及び厚みに形成すると共に、当該挿入可能な部分の表面にＵＳＢターミナルに挿入に電気的接続がなされる露出電極２１を設けたものである。
【００２０】
また特に露出電極２１の反対側端部を、カード本体１の厚さと一致させて切欠部１２を充たす形状の操作部２２に形成すると共に、露出電極２１が凹部１１の底面と対面させて、切欠部１２の内端面と前記操作部２２の側端面とを軸連結し、メモリ体１を回動自在としてカード本体１に組み込んでなり、更に小凹部１３と対応する位置に小突起２３を設けてなるものである。
【００２１】
而して前記の名刺型メモリ装置は、メモリ体２に内蔵した半導体メモリに、所望のデータを予め格納して営業に携わる者が携帯し、顧客に対して名刺同様に配布して営業活動を行うものである。
【００２２】
顧客は、受領したメモリ装置の操作部２２を操作してメモリ体２を回動し、カード本体１の凹部１１から離脱させて、露出電極２１を露わにして、コンピュータのＵＳＢターミナルな挿入接続して、格納されたデータ（商品などに関する静止画・動画）を読みとるものである。
【００２３】
従って営業マンは、紙媒体の商品カタログ等を携行することなく、軽量の本メモリ装置を携帯するのみで良く、しかも印刷表示１４によって名刺代わりとして顧客に提供できるものである。
【００２４】
また図４乃至６は本考案の第二実施形態を示すもので同実施形態は、メモリ体２ａの収納構成が相違するのみである。
【００２５】
即ちメモリ体２ａの収納箇所となる矩形凹部１１ａを設けると共に、矩形凹部１１ａの両側面１１１を蟻形状に形成してなる。
【００２６】
メモリ体２ａは、第一実施形態と同様の露出電極２１を備えメモリ機能を内蔵したもので、矩形凹部１１ａの形状に対応した長方体で、前記矩形凹部１１ａに対応する側端面とし、収納時に露出電極２１が矩形凹部１１ａの底面と対面するようにスライド自在に矩形凹部１１ａに装着するものである。
【００２７】
勿論カード本体の表裏面やメモリ体２ａの表面（非電極形成面）に、適宜所望の印刷表示１４を行うものである。
【００２８】
而して第一実施形態と同様に、メモリ体２ａに所望のデータを予め格納した本装置を営業マンが携帯し、顧客に対して名刺同様に配布して営業活動を行うものである。
【符号の説明】
【００２９】
１，１ａ    カード本体
１１      凹部
１１ａ    矩形凹部
１１１    蟻状内側面
１２      切欠部
１３      小凹部
１４      印刷表示
２，２ａ        メモリ体
２１      露出電極
２２      操作部
２３      小突起
【図１】
0003200600.tif 000003
【図２】
0003200600.tif 000004
【図３】
0003200600.tif 000005
【図４】
0003200600.tif 000006
【図５】
0003200600.tif 000007
【図６】
0003200600.tif 000008